(57)【要約】【課題】本発明は、簡易な構造であると共に、内部に遺骨を収納しても嵩の過度な増加を伴わない縫い包みを提供する。また、お焚き上げの際、全ての構成要素を焼き上げることが可能な縫い包みを提供する。【解決手段】本発明に係る縫い包み１は、頭部１０、胴体部２０、遺骨を収納可能な遺骨収納部５０を含み、頭部１０は可燃性の瞳１１を含み、胴体部２０は、開口端２２を備えたポケット部２１を含む構成であり、遺骨収納部５０は、開口端２２から取り出し可能な状態でポケット部２１に収納される。【選択図】  図１
2018094232.tif 000002
【特許請求の範囲】
【請求項１】
頭部及び胴体部を含む縫い包みであって、
更に、遺骨を収納可能な遺骨収納部を含み、
前記頭部は、可燃性の瞳を含み、
前記胴体部は、開口端を含むポケット部を含み、
前記遺骨収納部は、前記開口端から取り出し可能な状態で、前記ポケット部に収納される、
縫い包み。
【請求項２】
前記遺骨収納部は、木材及び天然繊維材の一方又は双方を含み、
前記胴体部は、更に防虫機能部を含み、
前記防虫機能部は、前記ポケット部の内側部に取り付けられる、
請求項１に記載の縫い包み。
【請求項３】
前記防虫機能部は、ウコン成分を含有する生地である、
請求項２に記載の縫い包み。
【請求項４】
前記開口端は、前記胴体部の背面に設けられ、
前記ポケット部は、前記開口端から前記胴体部の内側に向けて形成される、
請求項１から３のいずれか一項に記載の縫い包み。
【請求項５】
請求項１から４のいずれか一項に記載の縫い包みと、
前記縫い包みを内部に配置可能な箱体と、
を含む、
仏壇。
【発明の詳細な説明】
【技術分野】
【０００１】
本発明は、縫い包み及び当該縫い包みを含む仏壇に関する。
【背景技術】
【０００２】
近年、故人やペットの遺骨・遺灰（以下、これらを単に「遺骨」と言う場合がある。）の供養形態が多様化している。その一例として、手元供養が挙げられる。手元供養とは、例えば、遺族の自宅に存置される仏壇内若しくはリビングの所望位置に遺骨を配置する、又は遺骨を微粉末状に粉砕加工した上でこれを遺族の携帯物品に混合する、などの手段によって遺骨を遺族の手元に保持可能とし、日常の生活空間において供養を行う形態である。
【０００３】
手元供養は、遺族が身近な場所で常時遺骨に接することができるため、遺族の精神面に良好に作用する。それに加えて、手元供養は、遺骨参拝のための外出や、新たな墓の購入費（及びこれに関連する諸経費）が必要とならないなど種々のメリットを有する。このような背景から、手元供養に対する需要が増加している。
【０００４】
上記した自宅の仏壇内やリビングに遺骨を配置する手元供養の場合、遺骨は、骨壺や専用容器に収納されることが多い。しかしながら、骨壺や専用容器は、無機質で意匠性の少ない外観であることが多く、遺骨が遺族の手元に存する状態であるとしても、遺骨に対する愛着が薄れてしまう、又は故人若しくはペットを亡くした喪失感・悲壮感が緩和されない、等のケースが生じ得る。そこで、遺骨に対する愛着感の向上や故人若しくはペットを亡くした喪失感・悲壮感の緩和を目的として、特許文献１及び２のような技術が提案されている。
【０００５】
特許文献１に記載された技術は、ペット型の縫い包み形状の背面部に開口部が設けられ、内部に収納空間が設けられた縫い包み型ペット用の骨壺・遺品等収納保護カバーに関する。特許文献１に記載された技術によれば、飼主の身近にペットの遺骨を配置することができると共に、縫い包みの外観からペットを亡くした喪失感や悲壮感を緩和させることができる。
【０００６】
また、特許文献２に記載された技術は、ペットの形状をした縫い包みであって、底面に開口部が設けられ、開口部からペット用骨壺を収納し、ゴム又は紐で開口部の開け閉めを行うことが可能なペット用骨壺カバーに関する。特許文献２に記載の技術によれば、ペットの遺骨に関して手元供養を行う場合において、縫い包みによって骨壺が見えない状態となり、所有者（飼主）の喪失感を和らげることができる。
【先行技術文献】
【特許文献】
【０００７】
【特許文献１】実用新案登録第３１２３８９２号公報
【特許文献２】実用新案登録第３１４３０３４号公報
【発明の概要】
【発明が解決しようとする課題】
【０００８】
しかしながら、特許文献１及び２に記載の技術は、縫い包み内部に骨壺をそのまま収納する構造であるため、骨壺の収納に十分な容積を有する縫い包みが必要となる。そのため、縫い包みの大きさも相応に増加する。従って、自宅の仏壇内に縫い包みを配置できない、又はリビングにおける縫い包みの占有スペースが過度に広くなるなどの事態が生じ得る。すなわち、特許文献１及び２に記載の技術は、省スペース化の点で課題を有する。
【０００９】
特に、特許文献１に記載の技術において、骨壺の毀損や破壊を保護するためのスポンジ材や綿材が、縫い包みの内部に施されている。従って、特許文献１に記載の技術は、構造が複雑であり、製造コストが高いという課題を更に有する。
【００１０】
また、特許文献１及び２に記載の技術において、縫い包みの外観がペット形状に限定されている。遺族によっては、テディベアや人形型など他の外観を有する縫い包みを要望する場合も考えられ、多様化する遺族の趣向に十分対応できない事態も生じ得る。
【００１１】
更に、従来から、縫い包みを焼き上げて供養を行う「お焚き上げ」が実施されているが、縫い包みの構成部分の中には、例えば瞳部分のように、ガラスやアクリル樹脂などの不燃性又は燃焼条件によって有毒ガスが生じる素材が用いられているものもある。従って、お焚き上げを行う前に、上記のような燃焼に難のある部分を縫い包みから取り外す必要があり、これが、お焚き上げに係る作業コストを増加させている。また、縫い包みから一又は複数の構成部分を取り外すことは、依頼者（遺族）の心理面にもネガティブに作用していた。
【００１２】
このような背景から、縫い包みの全ての構成部分を可燃性又は有毒ガスの生じない素材とすることが望まれているところ、特許文献１及び２に記載の技術においては、そのような事項は想定されていない。
【００１３】
上記課題に鑑み、本発明は、自宅の仏壇内やリビングの所望位置に配置するにあたり、内部に遺骨を収納した状態であっても嵩の過度な増加を伴わない縫い包みの提供を目的とする。また、本発明は、上記お焚き上げなどに供される場合であっても、構成部分の取り外し行為を省くことが可能な縫い包みを提供する。更に、本発明は、上記縫い包みを含む仏壇を提供する。
【課題を解決するための手段】
【００１４】
本発明に係る縫い包みは、
頭部と、胴体部と、遺骨を収納可能な遺骨収納部とを含み、
前記頭部は、可燃性の瞳を含み、
前記胴体部は、開口端を含むポケット部を含み、
前記遺骨収納部は、前記開口端から取り出し可能な状態で、前記ポケット部に収納されることを特徴とする。
【００１５】
また、本発明に係る縫い包みは、
前記遺骨収納部が、木材及び天然繊維材の一方又は双方を含み、
前記胴体部は、更に防虫機能部を含み、
前記防虫機能部は、前記ポケット部の内側部に取り付けられることが好ましい。
【００１６】
更に、本発明に係る縫い包みは、
前記防虫機能部が、ウコン成分含有生地であることが好ましく、
前記開口端が、前記胴体部の背面に設けられ、
前記ポケット部は、前記開口端から前記胴体部の内側に向けて形成されることが好ましい。
【００１７】
また、本発明に係る仏壇は、
前記縫い包みと、
前記縫い包みを内部に配置可能な箱体と、
を含むことを特徴とする。
【発明の効果】
【００１８】
本発明によれば、縫い包みの内部に、コンパクト化が可能な遺骨収納部を収納するため、内部に遺骨を収納した状態であっても嵩の増加を伴わない。そのため、本発明によれば、縫い包みの配置のために過度な占有スペースを必要とせず、自宅の仏壇やリンビングに配置するにあたり省スペース化を図ることができる。また、本発明によれば、お焚き上げなどで縫い包みを焼き上げる場合であっても、構成部分（例えば瞳部分）の取り外し行為を省くことが可能である。そのため、作業コストの増加を生じないことはもちろん、遺族にネガティブな印象を与えることがない。更に、本発明は、上記した縫い包みを含む仏壇を提供できる。
【図面の簡単な説明】
【００１９】
【図１】本実施形態に係る縫い包みの正面図。
【図２】本実施形態に係る縫い包みの側面図。
【図３】本実施形態に係る縫い包みの背面図。
【図４】図１に示される本実施形態に係る縫い包みのＡ−Ａ’断面図。
【図５】本実施形態に係る縫い包みの頭部拡大図及び瞳の断面図。
【図６】本実施形態に係る仏壇の正面図。
【発明を実施するための形態】
【００２０】
以下、図面を参照して本発明の望ましい実施形態を詳細に説明する。但し、本発明は多くの異なる態様で実施することが可能であり、以下に示す実施の形態の記載内容に限定して解釈されるものではない。
【００２１】
まず、図１から図３を参照して、本実施形態に係る縫い包み１の全体構成を説明する。ここで、図１は、縫い包み１の正面図である。また、図２は、縫い包み１の側面図である。更に、図３は、縫い包み１の背面図である。
【００２２】
本実施形態に係る縫い包み１の外観は、癒し効果の高いテディベアであることが好ましいが、これに限れられるものではない。縫い包み１の他の例として、テディベア（熊）以外の動物、マスコット又はキャラクター（人型のものを含む。）をモチーフにしたものが挙げられる。
【００２３】
図１に示されるように、縫い包み１は、頭部１０、胴体部２０、腕部３０、脚部４０、遺骨収納部５０を含む。本実施形態において、縫い包み１の上記各部（頭部１０、胴体部２０、腕部３０、脚部４０）は、夫々、外形を画する外皮材と、この外皮材の内部に封入される綿製のクッション材を含む。
【００２４】
本実施形態において、外皮材は、天然繊維又は化学繊維からなる布製の生地である。この生地は、織物、編物、フェルト又は不織布のいずれか一種から構成されていてもよいし、これらのうちの二種以上を組み合わせて構成されていてもよい。ただし、外皮材の素材は、これに限定されるものではなく、皮革又は樹脂等であってもよいが、縫い包み１がお焚き上げに供されることを考慮すると、可燃性であることが好ましく、その中でも燃焼による有毒ガスの生じない素材がより好ましい。
【００２５】
外皮材の内部に封入されるクッション材に関しても、綿以外の素材が用いられてもよい。クッション材の他の例として、綿以外の繊維、樹脂（発砲性のものが好ましい。）又は紙等であってもよいが、縫い包み１がお焚き上げに供されることを考慮すると、可燃性であることが好ましく、その中でも燃焼による有毒ガスの生じない素材がより好ましい。
【００２６】
本実施形態において、縫い包み１を構成する一の各部（頭部１０、胴体部２０、腕部３０、脚部４０）と、これに隣接する他の各部とは、縫い糸によって夫々縫い合わされる（例えば、頭部１０と胴体部２０とは、夫々縫い糸によって縫い合わされる。胴体部２０と腕部３０、胴体部２０と脚部４０に関しても、同様である。）。ただし、縫い包み１における隣接各部の接続手段は、これに限られるものではない。
【００２７】
縫い包み１の頭部１０は、瞳１１を含む。瞳１１は、可燃性であることが好ましく、その中でも、燃焼の際に有毒ガスの生じない素材であることが好ましい。瞳１１の構造の詳細については、後述する。
【００２８】
一般の縫い包みにおいて、ガラスや透明なアクリル樹脂が瞳の素材として用いられることが多い。これらは、通常、難燃性である、又は低温で燃焼できたとしても有毒ガスを生じる。そのため、お焚き上げの際、縫い包みから瞳部分を取り外さなければならない事態が生じ得る。
【００２９】
瞳は、顔面の主要要素の一つであると共に、縫い包み全体の印象に大きな影響を及ぼすパーツである。従って、お焚き上げの際の瞳の取り外し作業は、遺族に罪悪感や抵抗感といったネガティブな印象を与える。しかしながら、本実施形態に係る縫い包み１は、上記のように可燃性の瞳１１を含むため、例えばお焚き上げなどの場面において、瞳を取り外す必要がない。そのため、本実施形態に係る縫い包み１によれば、お焚き上げに係る作業の負担を軽減できることはもちろん、瞳の取り外しに関する遺族への罪悪感や抵抗感を抱かせないというメリットを有する。
【００３０】
次に、縫い包み１の胴体部２０は、遺骨収納部５０を収納するためのポケット部２１を含む。ポケット部２１は、開口端２２を含む。遺骨収納部５０は、開口端２２を通じてポケット部２１に挿入され、ポケット部２１内に形成される空域に収納される。また、遺骨収納部５０は、ポケット部２１から開口端２２を通じて縫い包み１の外部に取り出される。上記のような構造及び配置のポケット部２１を設けることにより、遺骨収納部５０の縫い包み１内部への挿入（収納）又は取り出し作業に関して、手間を掛けず容易に行うことができる。
【００３１】
図２に示されるように、本実施形態におけるポケット部２１は、開口端２２から胴体部２０の内側に向けて形成される。ただし、ポケット部２１の形成箇所は、これに限られるものではない。例えば、シャツの胸位置に設けられるポケットのように、矩形や半円形に成形された布製生地の周端縁（ただし、上縁を除く。）を胴体部２０の所定位置（好ましくは背面）に縫い付け、その内部をポケット部２１として機能させてもよい。このとき、胴体部２０に縫い付けられていない布製生地の上縁が、開口端２２として機能する。
【００３２】
次に、図３（ａ）に示されるように、本実施形態における開口端２２は、胴体部２０の背面略中央位置に設けられる。本実施形態のように、開口端２２を胴体部２０の背面に設けることで、これが縫い包み１の正面側から視認できない状態となる。本実施形態における開口端２２は、スリット（切れ込み）状に形成されるため、これが視認されることで縫い包み１の見栄えに悪影響を及ぼす可能性がある。このような開口端２２を縫い包み１の背面に設けることで、縫い包み１の見栄えにおける悪影響を最小限に抑えることができる。ただし、開口端２２を設ける位置は、これに限定されるものではない。
【００３３】
図３（ａ）に示されるように、本実施形態における開口端２２は、一縁２２ａ及び他縁２２ｂによって形成される。図３（ａ）に示されるように、一縁２２ａ及び他縁２２ｂの各々は、胴体部２０の長さ方向に沿って設けられる。更に、一縁２２ａ及び他縁２２ｂの端部同士が夫々接続する。これにより、開口端２２は、開状態において略楕円形状を有する。ただし、開口端２２の構成や形状は、これに限られるものではない。
【００３４】
更に、胴体部２０は、開口端２２の開口を閉じるための閉止手段を備えることが好ましい。図３（ａ）及び（ｂ）に示されるように、本実施形態において、開口端２２の閉止手段は、複数の孔２３１と、孔２３１に挿通される閉止紐２３２を含む。ここで、前記複数の孔２３１は、図３（ａ）に示されるように、開口端２２の近傍位置にあり、且つ開口端２２の一縁２２ａ及び他縁２２ｂに沿って配置される。
【００３５】
図３（ｂ）に示されるように、閉止紐２３２は、上記複数の孔２３１の全てに挿通される。その際、靴の羽根部に装着される靴紐のように、閉止紐２３２は、開口端２２の一縁２２ａ側に配置される孔２３１ａと、他縁２２ｂ側に配置される孔２３１ｂとに交互に通されていく。
【００３６】
閉止紐２３２が、全ての孔２３１に挿通されると、閉止紐２３２の一部分と他部分とが交差する複数の交差部２３２１が形成され、これらが開口端２２に沿って配列される。また、それまで離れた状態にあった開口端２２の一縁２２ａと他縁２２ｂとが、閉止紐２３２の張力によって近接する（接触する場合もある）。これにより、開口端２２が閉じられる（塞がれる）。なお、閉止紐２３２の自由端近傍部位２３２−１と２３２−２とが結び合わさることで、開口端２２の閉止状態が保持される。
【００３７】
開口端２２の閉止手段は、上記に限られるものではない。例えば、閉止手段は、開口端２２の一縁２２ａ及び他縁２２ｂの双方に設けられる面ファスナーであってもよいし、一縁２２ａ又は他縁２２ｂのいずれか一方側に設けられるボタンと、他方側に設けられるボタン挿通孔の組み合わせなどであってもよい。ただし、上記した孔２３１に閉止紐２３２を挿通するタイプの閉止手段であれば、簡易な構造によって、強固に開口端２２を閉じることが可能である。また、隙間の少ない状態で開口端２２を閉止することができるため、開口端２２によって縫い包み背面に形成された切れ込み部分が目立たず、縫い包み１の見栄えを損なうことがない。
【００３８】
次に、遺骨収納部５０は、故人又はペットの遺骨の少なくとも一部を収納するものである。本実施形態における遺骨収納部５０は、木材によって構成される箱体（木製箱）である。より詳しくは、本実施形態における遺骨収納部５０は、箱本体部５１と、箱本体部５１の上面を被覆する蓋部５２を含む。ただし、遺骨収納部５０は、これに限られるものではない。例えば、遺骨収納部５０は、植物若しくは動物性の天然繊維材又は化学繊維材によって構成される布袋、樹脂（プラスチック）又は金属製の容器等であってもよい。また、これらの素材を適宜組み合わせて構成されてもよい。ただし、お焚き上げなどの際、縫い包み１と共に遺骨収納部５０を焼き上げる場合があることを考慮すれば、遺骨収納部５０は、木製箱や繊維製の布袋などのように可燃性であることが好ましく、その中でも燃焼による有毒ガスの生じない素材がより好ましい。
【００３９】
遺骨収納部５０のポケット部２１への挿入は、上記閉止紐２３２を緩めた状態にした後、又は閉止紐２３２を孔２３１から取り外して、開口端２２を開けた状態とした後に行われることが好ましい。ただし、遺骨収納部５０のポケット部２１への挿入方法は、これに限られるものではない。
【００４０】
次に、図４を用いて、本実施形態に係る縫い包み１の内部構造を説明する。図４は、図１で示される縫い包み１のＡ−Ａ’断面図（縫い包み１を図１のＡ−Ａ’線で切断しこれを上方から見た図）である。
【００４１】
図４に示されるように、縫い包み１の胴体部２０は、主に、縫い包み１の外皮材若しくはクッション材、又は遺骨収納部５０を虫食いから保護する防虫機能部２４を含む。本実施形態における防虫機能部２４は、ポケット部２１の内側部２１１に取り付けられることが好ましい。このとき、ポケット部２１の内側部２１１の大部分は、防虫機能部２４によって覆われていることが更に好ましい。なお、本実施形態における防虫機能部２４は、上記内側部２１１に縫着される。ただし、防虫機能部２４の取付手段は、これに限定されるものではない。
【００４２】
上記位置は、ポケット部２１に収納された遺骨収納部５０の対向位置（又は接触位置）である。そのため、当該位置に防虫機能部２４が取り付けられることで、少なくともポケット部２１近傍のクッション材と共に遺骨収納部５０を適切に防虫することができる。もちろん、防虫機能部２４に含まれる防虫成分は、時間の経過と共に、クッション材内を拡散し、縫い包み１の全体に行き渡る。従って、最終的には、防虫機能部２４を設けることで縫い包み１の全体を適切に防虫することができる。
【００４３】
また、防虫機能部２４をポケット部２１の内側部２１１に取り付けることで、縫い包み１の内部から防虫作用をもたらすことが可能となる。そのため、少ない成分量であっても、高い防虫機能を発揮することができる。更に、ポケット部２１の内側部２１１は、縫い包み１の外部から視認することができない部分であるため、ここに防虫機能部２４を配置しても、縫い包み１の見栄えを損なうことがない。
【００４４】
本実施形態における防虫機能部２４は、ウコン抽出溶液を含浸させた繊維材を含む布製の生地である（すなわち、ウコン成分を含有する生地）。これにより、更に高い防虫効果を発揮することができる。ただし、防虫機能部２４の素材や構成は、これに限られるものではない。
【００４５】
次に、図５を用いて、上記した縫い包み１の頭部１０に配される瞳１１の詳細を説明する。ここで、図５（ａ）は、本実施形態に係る縫い包み１の頭部１０の拡大図であり、図５（ｂ）は、図５（ａ）に示される瞳１１のＢ−Ｂ’断面図である。
【００４６】
本実施形態における瞳１１は、図５（ｂ）に示されるように、芯部分に綿１１１が用いられると共に、綿１１１の周囲に厚紙１１２が配置されることが好ましい。本実施形態において、厚紙１１２は、瞳１１の形状を規定するベース部として機能する。更に、厚紙１１２の周囲に黒又は茶色の合成皮革１１３が配置されることが好ましい。本実施形態において、綿１１１を含む厚紙１１２の被覆材として機能する。
【００４７】
綿１１１、厚紙１１２、及び合成皮革１１３は、いずれも可燃性であると共に燃焼よる有毒ガスが生じない素材であるため、例えば、お焚き上げの際に、縫い包み１から別途瞳部分を取り外す必要がない。従って、このような瞳１１を含む縫い包み１は、お焚き上げに係る作業負担を軽減でき、更に、遺族への罪悪感や抵抗感を抱かせないというメリットを有する。
【００４８】
更に、綿１１１、厚紙１１２、及び合成皮革１１３は、いずれも安価に入手可能な素材であるため、縫い包み１の製造コスト低減にも寄与する。ただし、瞳１１の素材は、これに限定されるものではない。
【００４９】
本実施形態における瞳１１は、まず、内部に綿１１１を含んだ状態で厚紙１１２を丸める。これにより、綿１１１の周囲を覆う状態で厚紙１１２が配置される。次に、厚紙１１２を、予め中空球状に成形された合成皮革１１３に入れる。合成皮革１１３の表面に、例えば所定長さの切れ込みなどを設けておけば、当該切れ込みから、合成皮革１１３を厚紙１１２に被せることができる。ただし、瞳１１の製造方法は任意であり、上記に限定されるものではない。
【００５０】
次に、図６を用いて、上記した縫い包み１を含む仏壇１００について説明する。図６は、本実施形態に係る仏壇１００の正面図である。仏壇１００は、内部に縫い包み１が配置される箱体１１００を含む。ここで、箱体１１００は、開口前部１１１０を備える。更に、仏壇１００は、箱体１１００の開口前部１１１０を塞ぐ扉部１２００と、縫い包み１を着座させるための座部１３００と、香炉１４１０や線香差し等の仏具、又は写真立て１４２０などを載置する供物載置部１４００を含む。
【００５１】
本実施形態における扉部１２００は、一対で使用される二枚の板状部材であって、その各々が、蝶番１１２０に支持された状態で、箱体１１００の開口前部側縁１１１１に取り付けられる。各扉部１２００は、蝶番１１２０を軸に回動可能な状態となり、箱体１１００の開口前部１１１０の開閉を行えるよう機能する。ここで、図６（ａ）は、扉部１２００が閉状態にある仏壇１００の正面図である。また、図６（ｂ）は、扉部１２００が開状態にある仏壇１００の正面図である。ただし、扉部１２００の構成及び配置、並びに箱体１１００への取付方法等は、これに限られるものではない。
【００５２】
本実施形態における座部１３００は、板状部材であって、箱体１１００の底面と略平行になるよう、箱体１１００の内部に取り付けられる。箱体１１００の内部に配置された縫い包み１は、座部１３００の上面に着座する。ただし、座部１３００の構成及び配置等は、これに限られるものではない。
【００５３】
本実施形態における供物載置部１４００は、図示しないスライド支持部によって支持された状態で、箱体１１００の内部に収容される。図６（ａ）に示される、扉部１２００が閉状態にある場合、供物載置部１４００の全てが、箱体１１００の内部に収容される。これに対して、図６（ｂ）に示される、扉部１２００が開状態にある場合、供物載置部１４００は、箱体１１００の前方に向かってスライド移動可能となる。最終的には、図６（ｂ）に示されるように、供物載置部１４００の大部分（又は全部）が、箱体１１００の開口前部１１１０から露出した状態となる。このような構造の供物載置部１４００によれば、箱体１１００の例えば奥行寸法を少なく抑えることができ、その結果として仏壇１００の省スペース化に寄与する。ただし、供物載置部１４００の構成及び配置等は、これに限られるものではない。
【００５４】
なお、上記において、本実施形態に係る縫い包み１を仏壇１００内に配置する態様に関して説明したが、使用態様は、これに限られるものではない。例えば、縫い包み１をそのままの状態で、自宅リビングなどの所望位置に配置させるようにしてもよい。
【符号の説明】
【００５５】
１        縫い包み
１０      縫い包みの頭部
１１      瞳
２０      縫い包みの胴体部
２１      ポケット部
２２      ポケット部の開口端
２３１    孔
２３２    閉止紐
２４      防虫機能部
３０      縫い包みの腕部
４０      縫い包みの脚部
５０      遺骨収納部
１００    仏壇
１１００  箱体
１２００  扉部
１３００  座部
１４００  供物載置部
【図１】
2018094232.tif 000003
【図２】
2018094232.tif 000004
【図３】
2018094232.tif 000005
【図４】
2018094232.tif 000006
【図５】
2018094232.tif 000007
【図６】
2018094232.tif 000008